(57)【特許請求の範囲】
【請求項１】
互いに接近して配設される一対の櫛(6)の間に、通電すると発熱するヒータ(3)を有するヒータカセット(11)が脱着自在に装着されており、ヒータカセット(11)を櫛(6)の間に装着すると、ヒータ(3)に通電できる状態となり、ヒータカセット(11)を外すと通電できなくなるように構成されてなる体毛処理具において、
ヒータカセット(11)に一方の櫛(6)が連結されており、一方の櫛(6)がヒータカセット(11)と一緒に脱着できるように構成されてなることを特徴とする体毛処理具。
【発明の詳細な説明】
【０００１】
【発明の属する技術分野】
本発明は、体表面のむだ毛をヒータで焼き切る体毛処理具に関する。
【０００２】
【従来の技術】
ヒータで体表面のむだ毛を焼き切る体毛処理具は開発されている。体毛処理具は、ニクロム線であるヒータに通電して加熱する。加熱されたヒータは、接触する毛を焼き切る。ヒータは、直接に皮膚に接触すると危ないので、その両側に櫛が配設される。この構造の体毛処理具は、櫛を通過して内部に案内される毛を、ヒータで焼き切る。
【０００３】
この構造の体毛処理具は、櫛の内側に付着する異物を綺麗に除去できる構造とする必要がある。このことを実現するために、ヒータの両側に配設される櫛を脱着できる構造とする体毛処理具が開発されている（特開平８−２８９８１４号公報）。この構造の体毛処理具は、櫛を外して分離できるので、櫛の内面に付着する異物を綺麗に除去できる特長がある。しかしながら、ヒータを外さないで、櫛を外すと、ヒータが外部に表出して危険な状態となる。このため、櫛を外してヒータに通電すると、火傷等をして危険な状態となることが考えられる。
【０００４】
さらに、櫛を外してヒータを外さない体毛処理具は、ヒータが切れたときに簡単に交換できない欠点もある。この欠点は、実公平４−３７５２１号公報と、実用新案登録第３００６１２５号公報に記載されるように、ヒータを内蔵するヒーターカセットを脱着できるように本体に装着する構造で解消できる。この構造の体毛処理具は、ヒーターカセットを外して、櫛の内側に付着する異物を除去し、さらに、ヒーターカセットを交換して、切れたヒータを新しいものに簡単に交換できる。
【０００５】
【発明が解決しようとする課題】
しかしながら、ヒーターカセットを脱着自在に装着する体毛処理具は、ヒーターカセットを外した状態で、櫛の内側を綺麗に清掃するのが難しい。２列の櫛が互いに接近して配設されて、櫛の間隔が狭いからである。以上のように、従来の体毛処理具は、櫛を脱着する構造にすると、火傷をするなで危険な状態となりやすく、ヒーターカセットを外す構造にすると、櫛の内側を綺麗に清掃するのが難しくなる欠点があり、安全で櫛の内側を綺麗に清掃できる構造にできない欠点がある。
【０００６】
本発明はこの欠点を解決することを目的に開発されたものである。本発明の大切な目的は、火傷等の心配がなくて安心して安全に使用でき、しかも、互いに接近する櫛の内側を綺麗に掃除できる体毛処理具を提供することにある。
また、本発明の他の大切な目的は、ヒータが切れたときに簡単に交換することもできる体毛処理具を提供することにある。
【０００７】
【課題を解決するための手段】
本発明の体毛処理具は、互いに接近して配設される一対の櫛６の間に、通電すると発熱するヒータ３を有するヒータカセット１１を脱着自在に装着しており、ヒータカセット１１を櫛６の間に装着すると、ヒータ３に通電できる状態となり、ヒータカセット１１を外すと通電できなくなるように構成されている。さらに、本発明の体毛処理具は、従来のように、櫛６のみを脱着するのではなく、また、ヒータカセット１１のみを脱着するのでもない。本発明の体毛処理具は、ヒータカセット１１に片方の櫛６を連結し、ヒータカセット１１と一緒に片方の櫛６を脱着する。ヒータカセット１１と一緒に片方の櫛６が外されると、櫛６の内側が開放されて内面に付着する異物を綺麗に除去できる。
【０００８】
【発明の実施の形態】
以下、本発明の実施例を図面に基づいて説明する。ただし、以下に示す実施例は、本発明の技術思想を具体化するための体毛処理具を例示するものであって、本発明は体毛処理具を下記のものに特定しない。
【０００９】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１０】
図１ないし図４に示す体毛処理具は、本体の先端にヒータカセット１１を装着している。本体は、本体ケース１の内部に、ヒータ３を加熱する電池４と、ヒータ３の加熱時間を制限するタイマー（図示せず）を内蔵している。さらに、本体ケース１には、ヒータ３の通電を制御するスイッチ５を設けている。スイッチ５はツマミをケースの外部に表出させている。
【００１１】
ヒータカセット１１は、プラスチック製のヒータケース２に、ヒータ３とヒータ端子１０を内蔵している。ヒータケース２は、図５の分解斜視図に示すように、プラスチックで二つに分割した形状に成形し、一方のヒータケース２に櫛６を一体成形している。ヒータカセット１１は、図において左側のヒータケース２にヒータ端子１０を内蔵させた後、櫛６を一体成形している右側のヒータケース２を連結して組み立てられる。
【００１２】
ヒータカセット１１は、その両端を掴んで、図において上下に脱着できるように、両端部に両端ツマミ１１Ａを有する。両端ツマミ１１Ａは、ヒータカセット１１を本体に装着する状態で、一対の櫛６の間から外部に表出している。図に示すヒータカセット１１は、脱着するときの滑りを防止するために、両端ツマミ１１Ａの表面に４列の凸条１１Ｃを成形している。
【００１３】
さらに、ヒータカセット１１は、図６に示すように、上下方向に脱着して本体に連結するために、ヒータ３の中央部分に位置して、下方に開口する連結開口１１Ｂを開口し、さらに、櫛６の下方に位置決凸部１２を突出して設けている。連結開口１１Ｂの対向する内面には、ヒータ３の両端に接続される一対のヒータ端子１０を配設している。
【００１４】
ヒータ端子１０は、その上端に、細いニクロム線のヒータ３を連結している。ヒータ３は、その両端をヒータ端子１０に巻き付けて連結している。ヒータ端子１０は、先端にヒータ３を連結し、それ自体はヒータケース２の定位置に装着さる。図に示すヒータ端子１０は、ヒータ３に通電する接続用の端子と、ヒータ３のたるみを防止する引っ張り部材の両方に兼用される。したがって、ヒータ端子１０は、弾性変形できる板バネやバネ線等のバネ材で製作される。図に示すヒータ端子１０は、板バネであるが、バネ線を使用することもできる。
【００１５】
ヒータ端子１０は、ヒータケース２に一体成形された角柱２Ａの表面に沿う形状に折曲された下端の後端ループ部１０Ａと、この後端ループ部１０Ａに連結される中間延長部１０Ｂと、この中間延長部１０Ｂの先端に連結されてヒータ３を連結するヒータ連結部１０Ｃとからなっている。ヒータ端子１０は、後端ループ部１０Ａを、ヒータケース２に設けた角柱２Ａの外側に嵌入して、連結開口１１Ｂの対向する内面に配設される。図に示すヒータカセット１１は、ヒータケース２に一体成形された角柱２Ａと、ヒータケース２の側面とで、本体に連結するための連結開口１１Ｂを形成している。ヒータ端子１０の中間延長部１０Ｂは、ヒータケース２に一体成形された支持柱２Ｂの間に挿入されせて、ヒータ端子１０をヒータケース２の定位置に装着している。
【００１６】
さらに、ヒータケース２は、ヒータ端子１０の中間延長部１０Ｂとヒータ連結部１０Ｃのコーナー部を、ヒータケース２に一体成形された隔壁２Ｃの外側に嵌入して、定位置に装着している。隔壁２Ｃは、その両端を上方に突出させて、突出部２Ｄの外側にヒータ連結部１０Ｃを配設している。突出部２Ｄの外側面は、ヒータ端子１０を両側に押し広げて、ヒータ３を引っ張り状態でヒータケース２に装着する。
【００１７】
隔壁２Ｃの両側に設けられた突出部２Ｄの外側面は、図７の断面図に示すように、傾斜面２Ｅとなっている。それは、ヒータ３を連結しているヒータ端子１０を、図の矢印で示すように、ヒータケース２に装着するときに、ヒータ３を引っ張り状態とするためである。傾斜面２Ｅは、ここに装着されるヒータ端子１０を、ヒータ３の引っ張り方向に付勢するように、いいかえると、ふたつのヒータ連結部１０Ｃの先端間隔を広くする傾斜面２Ｅとなっている。傾斜面２Ｅに沿って、ヒータ端子１０のヒータ連結部１０Ｃが挿入されると、ヒータ３が引っ張られて、ヒータケース２に装着される。傾斜面２Ｅに装着されるヒータ端子１０のヒータ連結部１０Ｃは、一部が傾斜面２Ｅから離れて隙間ができる。この隙間は、図７の断面図に示すように、片方のヒータケース２の内面に、くさび凸起２Ｆを一体成形して閉塞できる。くさび凸起２Ｆは、傾斜面２Ｅとヒータ連結部１０Ｃとの隙間に圧入される形状に成形される。
【００１８】
以上の構造のヒータケース２は下記のようにして組み立てられる。
▲１▼  ヒータ端子１０をヒータケース２に装着しない状態で、ヒータ連結部１０Ｃにヒータ３の両端を巻き付けて連結する。ヒータ３は、あらかじめ、ヒータ端子１０をヒータケース２に装着すると、たるまない長さでヒータ端子１０に連結される。
【００１９】
▲２▼  ヒータ３を連結したヒータ端子１０を、櫛６を一体成形していないヒータケース２に装着する。ヒータ端子１０は、後端ループ部１０Ａをヒータケース２に一体成形された角柱２Ａの外側に、中間延長部１０Ｂを支持柱２Ｂの間に、ヒータ連結部１０Ｃを隔壁２Ｃ両側の傾斜面２Ｅの外側に入れて、ヒータケース２の定位置に装着される。この状態で、ヒータ端子１０は、ヒータ３を直線状に引っ張る状態で、ヒータケース２の定位置に装着される。
【００２０】
▲３▼  ヒータ端子１０を装着しているヒータケース２に、櫛６を一体成形しているヒータケース２を連結して、ヒータケース２の開口部を閉塞する。
【００２１】
ヒータカセット１１を装着する本体ケース１はプラスチック製で、２分割して成形されている。２分割して成形された本体ケース１は、周壁１Ｃを連結して組み立てられる。片方の本体ケース１は、先端に突出して、ヒータカセット１１に設けられた櫛６と一対をなす櫛６を一体成形している。本体ケース１とヒータカセット１１に設けられた櫛６は一対となり、その間の中央にヒータ３を配設する。さらに、本体ケース１は、上端に、ヒータカセット１１の位置決凸部１２を脱着自在に嵌入する嵌着部凹部１Ｂを設けている。嵌着部凹部１Ｂは、櫛６を一体成形していない側の本体ケース１の上端に設けられている。櫛６を一体成形している本体ケース１は、図４のケースを開いた正面図に示すように、上半分の部分にプリント基板７を内蔵している。
【００２２】
プリント基板７は、ヒータカセット１１を連結する挿入ロッド９を上端から突出するように固定し、この挿入ロッド９の両側に接続端子８を配設している。挿入ロッド９は、接続端子８を介してプリント基板７に固定される。さらに、プリント基板７は、ヒータ３の通電時間を制限するタイマーと、ヒータ３に通電するためのスイッチ用の接点も装着している。
【００２３】
接続端子８は弾性変形する金属板で、プリント基板７に半田付けして固定され、プラスチック製の挿入ロッド９をプリント基板７に固定している。接続端子８は、図８と図９の斜視図に示すように、プリント基板７に固定される固定板８Ｃと、ヒータ端子１０に連結されるアーム８Ｄとからなり、全体の形状をＬ字状としている。固定板８Ｃは上下にリード凸起８Ｅを設け、リード凸起８Ｅをプリント基板７に挿通して、半田付して固定している。
【００２４】
接続端子８のアーム８Ｄは、図８と図９に示すように、先端部を外側に突出する山形に折曲する形状としている。この形状の接続端子８のアーム８Ｄは、一対の接続端子８間の間隔を次第に広くする係止テーパー部８Ａと、この係止テーパー部８Ａよりも先端に連結されており、一対の接続端子８の間隔を次第に狭くする挿入テーパー部８Ｂとからなる。係止テーパー部８Ａと挿入テーパー部８Ｂの境界は、挿入ロッド９の表面から弾性的に突出している。
【００２５】
この構造の接続端子８は、ヒータカセット１１の連結開口１１Ｂに挿入ロッド９を挿入するとき、次第に間隔の広くなる係止テーパー部８Ａをヒータ３の内面に弾性的に押圧して、ヒータカセット１１を抜けないように連結できる。
【００２６】
挿入ロッド９は、接続端子８を介してプリント基板７に連結される形状に、プラスチックで成形されている。挿入ロッド９は、Ｌ字状の接続端子８のコーナーに位置するコーナー柱部９Ａと、一対の接続端子８の間に位置するロッド部９Ｂとを備える。互いに離して配設されるコーナー柱部９Ａは、底板９Ｃで連結され、この底板９Ｃにロッド部９Ｂも連結されて、全体がプラスチックで一体成形されている。コーナー柱部９Ａの内側と、ロッド部９Ｂの外側に、Ｌ字状の接続端子８を入れて、挿入ロッド９に接続端子８が連結される。
【００２７】
さらに、ロッド部９Ｂは、接続端子８の先端を入れる溝９Ｄを先端に設けている。溝９Ｄは、底にスリット９Ｅを開口している。接続端子８は、このロッド部９Ｂの溝９Ｄに入れるために、先端の挿入テーパー部８Ｂの幅を溝９Ｄの幅よりも狭くし、さらに、先端縁には、両側に突出する凸起８Ｆを設けている。挿入テーパー部８Ｂが溝９Ｄに入れられ、先端の凸起８Ｆがスリット９Ｅに入れられて、接続端子８は挿入ロッド９に分離しない状態で連結される。この構造の挿入ロッド９は、接続端子８をプリント基板７に固定し、確実に位置ずれしないように連結される。
【００２８】
ヒータカセット１１が、本体ケース１に装着されると、本体ケース１とヒータカセット１１の櫛６が対向する位置に配設される共に、櫛６の間にヒータ３が配設され、さらに、ヒータカセット１１のヒータ端子１０は、本体ケース１に内蔵されるプリント基板７に固定される接続端子８に電気接続される。さらに、接続端子８は、ヒータカセット１１のヒータ端子１０の間に挿入されて、ヒータカセット１１を本体に機械的に連結する。とくに、図に示す接続端子８は、弾性変形する弾性金属板で製作して、これをヒータ端子１０の内面に弾性的に押圧して、ヒータカセット１１を抜けないように連結する。
【００２９】
さらに、図に示すヒータカセット１１は、本体に装着した状態で、節度出しをするために、ヒータケース２の下端部の両側に、弾性凸起２Ｉを突出させている。この弾性凸起２Ｉは、本体ケース１に設けられた引掛凹部１Ａに入れられて、ヒータカセット１１を節度のある状態で定位置に連結する。
【００３０】
以上の体毛処理具は、ヒータカセット１１の片方のヒータケース２に櫛６を一体成形している。ただ、櫛は、ヒータケースと別部品として成形することもできる。ヒータカセットと別部品の櫛は、ヒータカセットを本体から外した状態ではヒータケースに脱着できるが、ヒータカセットを本体に装着した状態ではヒータカセットから外すことができない構造で連結する。
【００３１】
櫛をヒータカセットに脱着自在に連結している体毛処理具を図１０に示す。この図の体毛処理具は、櫛６とヒーターケース２との対向面に、互いに隙間なく嵌着できる連結凸部１３と連結凹部１４とを設けている。さらに、櫛６は、下方に突出させて位置決凸部１２を設けている。この構造の体毛処理具は、櫛６をヒータカセット１１に連結した状態で、本体ケース１に脱着自在にする。連結凸部１３と連結凹部１４は、ヒータカセット１１を本体ケース１に連結する状態で、櫛６のみが本体ケース１から外されるのを阻止する。櫛６がヒータカセット１１から外せるのは、ヒータカセット１１を本体ケース１から外した状態のみである。
【００３２】
【発明の効果】
本発明の体毛処理具は、安心して安全に使用できるにもかかわらず、互いに接近して配設される櫛の内側を、簡単に綺麗に掃除できる特長がある。それは、本発明の体毛処理具が、片方の櫛をヒータカセットと一緒に脱着できるからである。櫛とヒータカセットとが一緒に外されると、両方の櫛を開放して、櫛に付着する異物を綺麗に除去でき、しかも、このとき、ヒータが本体から外されて通電されることがないので、櫛を清掃するときに、加熱されたヒータに接触して火傷などをする心配もない。
【００３３】
さらに、本発明の体毛処理具は、片方の櫛と一緒にヒータカセットを脱着できる構造であるので、ヒータが切れたときには、ヒータカセットを外して、簡単に新しいヒータを装備するヒータカセットに交換できる特長もある。
【図面の簡単な説明】
【図１】本発明の実施例の体毛処理具の正面図
【図２】図１に示す体毛処理具の側面図
【図３】図１に示す体毛処理具の平面図
【図４】図１に示す体毛処理具のケースを開いた状態を示す正面図
【図５】図１に示す体毛処理具のヒータカセットを開いた状態を示す分解斜視図
【図６】図５に示すヒータカセットに挿入ロッドを挿入する状態を示す平面図
【図７】図６に示すヒータカセットのＡ−Ａ線断面図
【図８】接続端子と挿入ロッドをプリント基板に連結する状態を示す分解斜視図
【図９】挿入ロッドの先端部と接続端子の連結部分を示す拡大斜視図
【図１０】本発明の他の実施例にかかる体毛処理具の側面図
【符号の説明】
１…本体ケース          １Ａ…引掛凹部          １Ｂ…嵌着部凹部
１Ｃ…周壁
２…ヒータケース        ２Ａ…角柱              ２Ｂ…支持柱
２Ｃ…隔壁              ２Ｄ…突出部
２Ｅ…傾斜面            ２Ｆ…くさび凸起
２Ｉ…弾性凸起
３…ヒータ
４…電池
５…スイッチ
６…櫛
７…プリント基板
８…接続端子            ８Ａ…係止テーパー部    ８Ｂ…挿入テーパー部
８Ｃ…固定板            ８Ｄ…アーム
８Ｅ…リード凸起        ８Ｆ…凸起
９…挿入ロッド          ９Ａ…コーナー柱部      ９Ｂ…ロッド部
９Ｃ…底板              ９Ｄ…溝
９Ｅ…スリット
１０…ヒータ端子        １０Ａ…後端ループ部    １０Ｂ…中間延長部
１０Ｃ…ヒータ連結部
１１…ヒータカセット    １１Ａ…両端ツマミ      １１Ｂ…連結開口
１１Ｃ…凸条
１２…位置決凸部
１３…連結凸部
１４…連結凹部
【図１】
0003691200.tif 000002
【図２】
0003691200.tif 000003
【図３】
0003691200.tif 000004
【図４】
0003691200.tif 000005
【図５】
0003691200.tif 000006
【図６】
0003691200.tif 000007
【図７】
0003691200.tif 000008
【図８】
0003691200.tif 000009
【図９】
0003691200.tif 000010
【図１０】
0003691200.tif 000011